(57)【要約】      （修正有）【課題】水の抵抗を受け難く、超音波が効率良く反射する釣り用錘を提供する。【解決手段】内部がオイル又はジェル等、音響インピーダンスが水に近い充填部材３で満たされ、ゴム又は樹脂で形成された流線形の外殻１と、外殻１の内部に鉛やタングステン等の金属で形成された球形又は多面体の金属部材２で構成されている。これにより、短時間で水中に沈み、且つ魚群探知機に映り易くなる。【選択図】図１
0003184641.tif 000002
【実用新案登録請求の範囲】
【請求項１】
水の抵抗を受けにくい形状の外殻と、該外殻内部に金属部材を設けたことを特長とする釣り用錘。
【請求項２】
前記外殻は、ゴム又は樹脂を主材質とすることを特長とする請求項1の釣り用錘。
【請求項３】
前記外殻は、流線型又は紡錘型又は多角錐型であることを特長とする請求項1乃至請求項2の釣り用錘。
【請求項４】
前記外殻の内部は、オイルやジェル等、音響インピーダンスが水に近い充填部材で満たされていることを特長とする請求項1乃至請求項3の釣り用錘。
【請求項５】
前記外殻は内部が空洞であり、周りに1つ又は複数の穴を設けた形状であることを特長とする請求項1乃至請求項3の釣り用錘。
【請求項６】
前記外殻の内部は、前記金属部材より上部がオイルやジェル等、音響インピーダンスが水に近い充填部材で満たされており、下部が空洞で周りに1つ又は複数の穴を設けた形状であることを特長とする請求項1乃至請求項3の釣り用錘。
【請求項７】
前記外殻の内部は、前記金属部材より下部が空洞で周りに1つ又は複数の穴を設けた形状であり、上部がオイルやジェル等、音響インピーダンスが水に近い充填部材で満たされていることを特長とする請求項1乃至請求項3の釣り用錘。
【請求項８】
前記金属部材は、鉛又はタングステン等比較的比重の重い金属を主材質とする事を特徴とする請求項1乃至請求項7の釣り用錘。
【請求項９】
前記金属部材は、球形又は多面体であることを特長とする請求項1乃至請求項8の釣り用錘。
【請求項１０】
前記金属部材は、外殻との接部より下部の全体又は一部を満たす構成であることを特長とする請求項1乃至請求項9の釣り用錘。
【考案の詳細な説明】
【技術分野】
【０００１】
本考案は、釣りに使用する錘に関するものである。
【背景技術】
【０００２】
従来の錘は、単に流線型や球状の金属製の錘が主なものであった。
【０００３】
図5は従来の流線型の金属製の錘を示している。流線型の錘は、沈める時の水の抵抗を受け難いが超音波の反射効率が悪く、魚群探知機画面上に映り難いという欠点があった。
【０００４】
図6は従来の球状金属製の錘を示している。球状の錘では、超音波が効率よく反射し魚群探知機画面上には映り易いが、流線型の錘と比べ水の抵抗を受け易いという欠点があった。
【先行技術文献】
【特許文献】
【０００５】
【特許文献１】特許第4568844号
【考案の概要】
【考案が解決しようとする課題】
【０００６】
最近の、魚群探知機を使用する釣りでは、水中に沈んでいく錘の状態や棚上の釣りの位置を画面上で確認する必要がある。しかしながら、従来の流線型や多角錐型の錘は、水中に沈んでいく際の水の抵抗を受け難く、着水後水中に短時間で沈む構造となっていた。しかし、流線型や多角錐型の錘は超音波の反射効率が悪いため、魚群探知機画面上に映り難いという欠点があった。
又、従来の球型又は多面体型の錘では、超音波を効率良く反射し、魚群探知機画面上には映り易いが、流線型や多角錐型の錘と比べ水の抵抗を受け易く水中に沈む速度が遅くなるという欠点があった。
【課題を解決するための手段】
【０００７】
上記課題を解決するために、請求項1に記載の考案は、水の抵抗及び超音波の反射効率が異なる材質と構造を組合わせ、水の抵抗を受け難く超音波が効率良く反射する錘をその要旨とする。
【０００８】
請求項2に記載の考案は請求項1における外殻部がゴム製又は樹脂製の材質にすることで、水中で超音波を透過し易くなることをその要旨とする。
【０００９】
請求項3に記載の考案は、請求項1及び請求項2における錘の外殻部が流線型又は紡錘型又は多角錐型であることから水中に沈む際に水の抵抗を受け難いことをその要旨とする。
【００１０】
請求項4に記載の考案は、請求項1乃至請求項3において、外殻内部がオイル又はジェル等、音響インピーダンスが水に近い充填部材で充填されていることから超音波は外殻及び外殻内部の充填部材を透過し金属部材まで到達する。
【００１１】
請求項5に記載の考案は、請求項1乃至請求項3において外殻内部が空洞であり、周りに1つ又は複数の穴が設けられていることから、水中に沈む際に、穴から内部に水が入り込み、外殻と金属部材との空間が水で満たされ、超音波は外殻及び外殻内部の水を透過し金属部材まで到達する。
【００１２】
請求項6に記載の考案は、請求項1乃至請求項3において、外殻内部の金属部材より上部がオイル又はジェル等、音響インピーダンスが水に近い充填部材で充填されており、外殻内部の金属部材より下部が空洞で、周りに1つ又は複数の穴が設けられていることから、水中に沈む際に、穴から内部に水が入り込み、外殻と金属部材との空間が水で満たされる。全体の外形は流線型又は紡錘型又は多角錐型であり、水の抵抗を受け難い形状である。又、超音波は外殻及び外殻内部の充填部材を透過し、金属部材まで到達する。
【００１３】
請求項7に記載の考案は、請求項1乃至請求項3において、外殻内部の金属部材より上部が空洞で、周りに1つ又は複数の穴が設けられていることから、水中に沈む際に穴から内部に水が入り込み、外殻と金属部材との空間が水で満たされ、外殻内部の金属部材より下部がオイル又はジェル等で充填されている。全体の外形は流線型又は紡錘型又は多角錐型であり、水の抵抗を受け難い形状である。又、超音波は外殻及び外殻内部の水を透過し金属部材まで到達する。
【００１４】
請求項8に記載の考案は、請求項1乃至請求項7において金属部材の材質が鉛又はタングステン等の比較的比重が重い金属を主材質とすることをその要旨とする。比較的比重が重い金属が主材質であるため、錘の落下スピードが速くなる。
【００１５】
請求項9に記載の考案は、請求項1乃至請求項8における金蔵部材が球形又は多面体であることをその要旨とする。金属部材が球形又は多面体であることから超音波を反射し易く魚群探知機画面上に映り易い。
【００１６】
請求項10に記載の考案は、請求項1乃至請求項9における金属部材と外殻との接部より上部が球形又は多面体であり、金属部材と外殻との接部より下部の全体又は一部を金属部材で満たす構成であることをその要旨とする。金属部材と外殻との接部より上部が球形又は多面体であることから超音波を反射し易く魚群探知機画面上に映り易くなる。又、金属部材の割合を多くすることで錘の沈む速度が一段と速くなる。
【考案の効果】
【００１７】
以上詳述したように、請求項1〜10記載の考案によると、短時間で水中に沈み、且つ魚群探知機に映り易い釣り用錘を提供することができる。
【図面の簡単な説明】
【００１８】
【図１】本実施形態の錘を示す断面図
【図２】第一の他の実施形態の錘を示す断面図
【図３】第二の他の実施形態の錘を示す断面図
【図４】第三の他の実施形態の錘を示す断面図
【図５】従来の錘の一形態を示す断面図
【図６】従来の錘の一形態を示す断面図
【考案を実施するための形態】
【００１９】
以下、本考案を具体化した本実施の形態を図1に基づき詳細に説明する。
【００２０】
図1は、水中で超音波を透過し易いゴム製又は樹脂製の流線型の外殻1とその内部に超音波を反射する鉛又はタングステン製の球形又は多面体の金属部材2を備えた実施例である。また外殻1の内部がオイル又はジェル等、音響インピーダンスが水に近い充填部材3で満たされていることから、超音波が鉛やタングステン製の球形又は多面体の金属部材2まで伝搬することが可能となり、その超音波の反射反応が魚群探知機画面に表示される。
【００２１】
本考案を具体化した他の実施の形態を、以下図2、図3及び図4に基づき詳細に説明する。
【００２２】
図2は、前記実施例と同様に、水中で超音波を透過し易いゴム製又は樹脂製の流線型の外殻1と、その内部に超音波を反射する鉛又はタングステン製の球形又は多面体の金属部材2を備えた実施例である。外殻1の内部が空気層である場合には鉛製やタングステン製の球形又は多面体の金属部材2まで超音波は到達しないが、水に沈んだ際に外殻1に設けられた穴5から水が入り込み、外殻1内部の空洞4を満たすことで、超音波が鉛又はタングステン製の球形又は多面体の金属部材2まで伝搬することが可能となり、その超音波反射反応が魚群探知機画面に表示される。外殻1内部の上下の空洞4のうち何れかが、オイル又はジェル等、音響インピーダンスが水に近い充填部材3で満たされた構成であっても良い。
【００２３】
図3は、金属部材2と外殻1との接部より下部の一部を同種の金属部材で満たす構成であるが、前記実施例と同様に、水に沈んだ際に外殻1に設けられた穴5から水が入り込み、外殻1内部の空洞4を満たすことで、超音波が鉛又はタングステン製の球形又は多面体の金属部材2まで伝搬することが可能となり、その超音波反射反応が魚群探知機画面に表示される。外殻1内部の上下の空洞4のうち何れかが、オイル又はジェル等、音響インピーダンスが水に近い充填部材3で満たされた構成であっても良い。
【００２４】
図4は、金属部材2と外殻1との接部より下部を同種の金属部材で満たす構成であるが、前記実施例と同様に、水に沈んだ際に外殻1に設けられた穴5から水が入り込み、外殻1の内部の空洞4を満たすことで超音波が鉛又はタングステン製の球形又は多面体の金属部材2まで伝搬することが可能となり、その超音波反射反応が魚群探知機画面に表示される。外殻1内部の空洞4がオイル又はジェル等、音響イオンピーダンスが水に近い充填部材3で満たされた構成であっても良い。
【産業上の利用可能性】
【００２５】
漁業・レジャー
【符号の説明】
【００２６】
A・・・錘
1・・・外殻
2・・・金属部材
3・・・充填部材
4・・・空洞
5・・・穴
【図１】
0003184641.tif 000003
【図２】
0003184641.tif 000004
【図３】
0003184641.tif 000005
【図４】
0003184641.tif 000006
【図５】
0003184641.tif 000007
【図６】
0003184641.tif 000008
【手続補正書】
【提出日】平成25年5月1日(2013.5.1)
【手続補正１】
【補正対象書類名】実用新案登録請求の範囲
【補正対象項目名】全文
【補正方法】変更
【補正の内容】
【実用新案登録請求の範囲】
【請求項１】
水の抵抗を受けにくい流線型、紡錘型又は多角錐型の形状をした外殻と、該外殻内部に金属部材を設けたことを特長とする釣り用錘。
【請求項２】
前記外殻は、ゴム又は樹脂を主材質とすることを特長とする請求項1記載の釣り用錘。
【請求項３】
前記外殻の内部は、オイルやジェル等、音響インピーダンスが水に近い充填部材で満たされていることを特長とする請求項1乃至請求項2のいずれか一項記載の釣り用錘。
【請求項４】
前記外殻は内部が空洞であり、周りに1つ又は複数の穴を設けた形状であることを特長とする請求項1乃至請求項2のいずれか一項記載の釣り用錘。
【請求項５】
前記外殻の内部は、前記金属部材より上部がオイルやジェル等、音響インピーダンスが水に近い充填部材で満たされており、下部が空洞で周りに1つ又は複数の穴を設けた形状であることを特長とする請求項1乃至請求項2のいずれか一項記載の釣り用錘。
【請求項６】
前記外殻の内部は、前記金属部材より上部が空洞で周りに1つ又は複数の穴を設けた形状であり、下部がオイルやジェル等、音響インピーダンスが水に近い充填部材で満たされていることを特長とする請求項1乃至請求項2のいずれか一項記載の釣り用錘。
【請求項７】
前記金属部材は、鉛又はタングステン等比較的比重の重い金属を主材質とする事を特徴とする請求項1乃至請求項6のいずれか1項記載の釣り用錘。
【請求項８】
前記金属部材は、球形又は多面体であることを特長とする請求項1乃至請求項7のいずれか1項記載の釣り用錘。
【請求項９】
前記金属部材は、外殻との接部より下部の全体又は一部を満たす構成であることを特長とする請求項1乃至請求項8のいずれか一項記載の釣り用錘。
【手続補正２】
【補正対象書類名】明細書
【補正対象項目名】全文
【補正方法】変更
【補正の内容】
【考案の詳細な説明】
【技術分野】
【０００１】
本考案は、釣りに使用する錘に関するものである。
【背景技術】
【０００２】
従来の錘は、単に流線型や球状の金属製の錘が主なものであった。
【０００３】
図5は従来の流線型の金属製の錘を示している。流線型の錘は、沈める時の水の抵抗を受け難いが超音波の反射効率が悪く、魚群探知機画面上に映り難いという欠点があった。
【０００４】
図6は従来の球状金属製の錘を示している。球状の錘では、超音波が効率よく反射し魚群探知機画面上には映り易いが、流線型の錘と比べ水の抵抗を受け易いという欠点があった。
【先行技術文献】
【特許文献】
【０００５】
【特許文献１】特許第4568844号
【考案の概要】
【考案が解決しようとする課題】
【０００６】
最近の、魚群探知機を使用する釣りでは、水中に沈んでいく錘の状態や棚上の釣りの位置を画面上で確認する必要がある。しかしながら、従来の流線型や多角錐型の錘は、水中に沈んでいく際の水の抵抗を受け難く、着水後水中に短時間で沈む構造となっていた。しかし、流線型や多角錐型の錘は超音波の反射効率が悪いため、魚群探知機画面上に映り難いという欠点があった。
又、従来の球型又は多面体型の錘では、超音波を効率良く反射し、魚群探知機画面上には映り易いが、流線型や多角錐型の錘と比べ水の抵抗を受け易く水中に沈む速度が遅くなるという欠点があった。
【課題を解決するための手段】
【０００７】
上記課題を解決するために、請求項1に記載の考案は、水中に沈む際に水の抵抗を受け難い流線型又は紡錘型又は多角錐型の形状をした外殻と、該外郭の内部に超音波の反射効率が良い金属部材を設けた構造の錘であることをその要旨とする。
【０００８】
請求項2に記載の考案は外殻部がゴム製又は樹脂製の材質にすることで、水中で超音波を透過し易くなることをその要旨とする。
【０００９】
請求項3に記載の考案は、外殻内部がオイル又はジェル等、音響インピーダンスが水に近い充填部材で充填されていることから超音波は外殻及び外殻内部の充填部材を透過し金属部材まで到達する。
【００１０】
請求項4に記載の考案は、外殻内部が空洞であり、周りに1つ又は複数の穴が設けられていることから、水中に沈む際に、穴から内部に水が入り込み、外殻と金属部材との空間が水で満たされ、超音波は外殻及び外殻内部の水を透過し金属部材まで到達する。
【００１１】
請求項5に記載の考案は、外殻内部の金属部材より上部がオイル又はジェル等、音響インピーダンスが水に近い充填部材で充填されており、外殻内部の金属部材より下部が空洞で、周りに1つ又は複数の穴が設けられていることから、水中に沈む際に、穴から内部に水が入り込み、外殻と金属部材との空間が水で満たされる。全体の外形は流線型又は紡錘型又は多角錐型であり、水の抵抗を受け難い形状である。又、超音波は外殻及び外殻内部の充填部材を透過し、金属部材まで到達する。
【００１２】
請求項6に記載の考案は、外殻内部の金属部材より上部が空洞で、周りに1つ又は複数の穴が設けられていることから、水中に沈む際に穴から内部に水が入り込み、外殻と金属部材との空間が水で満たされ、外殻内部の金属部材より下部がオイル又はジェル等で充填されている。全体の外形は流線型又は紡錘型又は多角錐型であり、水の抵抗を受け難い形状である。又、超音波は外殻及び外殻内部の水を透過し金属部材まで到達する。
【００１３】
請求項7に記載の考案は、金属部材の材質が鉛又はタングステン等の比較的比重が重い金属を主材質とすることをその要旨とする。比較的比重が重い金属が主材質であるため、錘の落下スピードが速くなる。
【００１４】
請求項8に記載の考案は、金蔵部材が球形又は多面体であることをその要旨とする。金属部材が球形又は多面体であることから超音波を反射し易く魚群探知機画面上に映り易い。
【００１５】
請求項9に記載の考案は、金属部材と外殻との接部より上部が球形又は多面体であり、金属部材と外殻との接部より下部の全体又は一部を金属部材で満たす構成であることをその要旨とする。金属部材と外殻との接部より上部が球形又は多面体であることから超音波を反射し易く魚群探知機画面上に映り易くなる。又、金属部材の割合を多くすることで錘の沈む速度が一段と速くなる。
【考案の効果】
【００１６】
以上詳述したように、請求項1〜9記載の考案によると、短時間で水中に沈み、且つ魚群探知機に映り易い釣り用錘を提供することができる。
【図面の簡単な説明】
【００１７】
【図１】本実施形態の錘を示す断面図
【図２】第一の他の実施形態の錘を示す断面図
【図３】第二の他の実施形態の錘を示す断面図
【図４】第三の他の実施形態の錘を示す断面図
【図５】従来の錘の一形態を示す断面図
【図６】従来の錘の一形態を示す断面図
【考案を実施するための形態】
【００１８】
以下、本考案を具体化した本実施の形態を図1に基づき詳細に説明する。
【００１９】
図1は、水中で超音波を透過し易いゴム製又は樹脂製の流線型の外殻1とその内部に超音波を反射する鉛又はタングステン製の球形又は多面体の金属部材2を備えた実施例である。また外殻1の内部がオイル又はジェル等、音響インピーダンスが水に近い充填部材3で満たされていることから、超音波が鉛やタングステン製の球形又は多面体の金属部材2まで伝搬することが可能となり、その超音波の反射反応が魚群探知機画面に表示される。
【００２０】
本考案を具体化した他の実施の形態を、以下図2、図3及び図4に基づき詳細に説明する。
【００２１】
図2は、前記実施例と同様に、水中で超音波を透過し易いゴム製又は樹脂製の流線型の外殻1と、その内部に超音波を反射する鉛又はタングステン製の球形又は多面体の金属部材2を備えた実施例である。外殻1の内部が空気層である場合には鉛製やタングステン製の球形又は多面体の金属部材2まで超音波は到達しないが、水に沈んだ際に外殻1に設けられた穴5から水が入り込み、外殻1内部の空洞4を満たすことで、超音波が鉛又はタングステン製の球形又は多面体の金属部材2まで伝搬することが可能となり、その超音波反射反応が魚群探知機画面に表示される。外殻1内部の上下の空洞4のうち何れかが、オイル又はジェル等、音響インピーダンスが水に近い充填部材3で満たされた構成であっても良い。
【００２２】
図3は、金属部材2と外殻1との接部より下部の一部を同種の金属部材で満たす構成であるが、前記実施例と同様に、水に沈んだ際に外殻1に設けられた穴5から水が入り込み、外殻1内部の空洞4を満たすことで、超音波が鉛又はタングステン製の球形又は多面体の金属部材2まで伝搬することが可能となり、その超音波反射反応が魚群探知機画面に表示される。外殻1内部の上下の空洞4のうち何れかが、オイル又はジェル等、音響インピーダンスが水に近い充填部材3で満たされた構成であっても良い。
【００２３】
図4は、金属部材2と外殻1との接部より下部を同種の金属部材で満たす構成であるが、前記実施例と同様に、水に沈んだ際に外殻1に設けられた穴5から水が入り込み、外殻1の内部の空洞4を満たすことで超音波が鉛又はタングステン製の球形又は多面体の金属部材2まで伝搬することが可能となり、その超音波反射反応が魚群探知機画面に表示される。外殻1内部の空洞4がオイル又はジェル等、音響イオンピーダンスが水に近い充填部材3で満たされた構成であっても良い。
【産業上の利用可能性】
【００２４】
漁業・レジャー
【符号の説明】
【００２５】
A・・・錘
1・・・外殻
2・・・金属部材
3・・・充填部材
4・・・空洞
5・・・穴